(57)【要約】      （修正有）【課題】構造が簡単で、騒音を抑えた運動健康器具を提供する。【解決手段】駆動装置２０が作動すると、主動部３０の第一軸３１が回転し、第一軸３１を支点として偏心輪３３の偏心作用によって、上下、前後に円を描くように運動する。主動部３０の偏心運動は、揺動座２４が受動部４０を引き動かして受動部４０が端縁部４１３を支点として、軸体４１１及び軸受け４２、クランプ４１２が前後に往復揺動する。よって、揺動座２４は上下、前後の揺動を行うとともに、連結座５０、接続板５１を介して座部フレーム６２に伝達し、座部６０に座る人が乗馬をしているような感覚で体を鍛えることができる。【選択図】図６
0003130158.tif 000002
【実用新案登録請求の範囲】
【請求項１】
ベースと、該ベースの上に設けられた駆動装置と、該駆動装置に連結した座部と、を含んでなり、
該駆動装置は動力部と、揺動座と、動力部が駆動して作動する主動部と、該主動部が駆動すると、作動する受動部とを含んでなり、
該ベースに連結した固定板は、長手方向に垂直な両側にそれぞれ底部側面ブロックと、該底部側面ブロックに対応して接続する上部側面ブロックが設けられ、該底部側面ブロックと上部側面ブロックは前後にそれぞれ主動部と受動部とを設けるために供し、
該座部に連結する揺動座は長手方向に垂直な側辺の前後にそれぞれ上凹溝を形成し、揺動座の下方に設けられる固定板上には該上凹溝に対応する位置の下方にそれぞれ軸座が設けられ、それぞれの軸座上には上凹溝に対応する位置に下凹溝が形成され、揺動座を固定板上に設けると、揺動座の上凹溝との下凹溝が組み合わさるとともに、前後でそれぞれ主動部と受動部に接続し、
該主動部は第一軸と、複数の偏心輪とを含んでなり、該第一軸は動力部に接続しているため、動力部が駆動すると作動し、第一軸は両端縁部に偏心輪が設けられ、偏心輪の外周が上、下凹溝に回動自在に設けられるとともに、偏心輪から突き出した第一軸の外側両端が底部側面ブロック、上部側面ブロックに回動自在に設けられ、主動部により偏心輪が第一軸を支点として上下、前後に円を描くように回転し、
該受動部は第二軸を含んでなり、該第二軸は軸体と、該軸体に貫通して設けられた軸受けとを具えてなり、揺動座の上凹溝と軸座の下凹溝で挟持して回動自在に設けられ、該軸体の両端に垂直な方向に屈折し、適宜な長さを具えたクランプが設けられ、該クランプの両端には軸方向に延伸した端縁部が設けられ、該端縁部が底部側面ブロックと、上部側面ブロックに挟持されて回動自在に設けられ、揺動座が主動部及び受動部に連結するため、乗馬をしているような感覚で体を鍛えることができる構造からなることを特徴とする運動健康器具。
【請求項２】
前記ベースは、上部に設けられた下蓋と、該下蓋に対応し、四辺に合わさりカバーするような中央に設置空間を形成した上蓋と、下蓋の中央内部に設けられた複数の支柱と、長手方向外側底部に設けられたバーと、該それぞれの支柱の上部に設けられ、中央に設置空間を形成した内底板と、該内底板の表面に固定して設けられた複数の可撓性を具えた中空の柱状の耐震器と、該内底板の表面に上蓋の中央の設置空間から一部が上方に露出するように設けられた駆動装置とを含んでなることを特徴とする請求項１に記載の運動健康器具。
【請求項３】
前記駆動装置は、上方が連結座に接続し、該連結座の上方が接続板に固定接続し、該接続板の表面には複数の柱体が固定して設けられ、それぞれの柱体は外周が螺刻され、上下に螺子を設けることができ、可撓性を具えてなり、柱体の一端を底部に螺接することを特徴とする請求項１に記載の運動健康器具。
【請求項４】
前記座部は中央に設置空間を具えた下蓋と、座部フレームと、上蓋とを含んでなり、該下蓋は上方に座部フレームを設けて固定接続するために供するとともに、座部フレームの上方に上蓋を設けて螺接固定するために供し、これにより、座部フレームは上蓋の内側に被覆された状態で設けられ、フレームは表面と、底面にそれぞれリング状の上方リングフレームと、下方リングフレームとを固定して設けるため、軟質のフレームの表面及び底面が硬質の接続部材になり、下方リングフレームは上蓋の表面の設置空間の外周に接続固定するために供し、柱体の一端が下蓋の中央の設置空間を介して座部フレームの底面に螺接するとともに、フレームが上方に引き上げられ、上方リングフレームを座部フレームの底面に螺接固定することを特徴とする請求項１に記載の運動健康器具。
【請求項５】
前記動力部がモータと、該モータに接続し、回転速度を転換する変速器とを含んでなり、該変速器は第一軸に接続することを特徴とする請求項１に記載の運動健康器具。
【請求項６】
前記揺動座の上凹溝は一方が他方よりも高い位置に形成されているため、それぞれの上凹溝を接続する側面が傾斜して形成され、揺動座の表面には複数の螺子状の固定柱が設けられ、該固定柱の一端が連結座に接続することを特徴とする請求項３に記載の運動健康器具。
【請求項７】
前記第一軸は中央に変速器を設けてなり、該変速器の両側にはそれぞれ軸受けが設けられ、第一軸が支持座に回動自在に貫通して設けられ、第一軸に設けられた偏心輪の外側両端には軸受けが設けられ、底部側面ブロック、上部側面ブロックに形成された凹溝に設けられ、受動部の第二軸は端縁部に軸受けを設けて、底部側面ブロック、上部側面ブロックに形成された凹溝に設けられることを特徴とする請求項３に記載の運動健康器具。
【請求項８】
前記ベースは振動モータを設けてなり、該振動モータは軸心が偏心輪に接続し、該偏心輪が座部に回動自在に設けられることを特徴とする請求項１に記載の運動健康器具。
【請求項９】
前記連結座は中央に振動モータを設ける大きな収納空間を形成し、該振動モータの上端が接続板の貫通孔を貫通して設けられるとともに、接続板の底面に固定され、該振動モータの偏心輪が座部フレームの底部に形成された内溝に回動自在に設けられることを特徴とする請求項８に記載の運動健康器具。
【考案の詳細な説明】
【技術分野】
【０００１】
この考案は、運動健康器具に関し、特に乗馬をしているような感覚で体の筋肉鍛えることができる運動健康器具に関する。
【背景技術】
【０００２】
乗馬型の運動健康器具は、馬に乗るように器具にまたがって乗馬をしているような感覚で、器具を前後、上下に揺動させて、自然にカロリーを消費させるとともに、自然なリズムで腰、首、肩などのこりをほぐして体が美しい曲線を描くように鍛えることができる。
【０００３】
例えば、特許協力条約（ＰＣＴ）に基づいて国際出願された特許登録番号ＷＯ０１／９３９６１Ａ１は、乗馬型の運動健康器具である。しかしながら、前述の運動健康器具は、複数のセットになった接続桿を組み合わせて形成しているため、構造が複雑で、製造コストが高い。また、接続桿の接続箇所が多いため、部材の接触による摩擦力で発生する騒音が大きく、運動する人が器具を使用している時に音が気になって、運動に集中することができない。
【考案の開示】
【考案が解決しようとする課題】
【０００４】
この考案は、構造が簡単で、騒音を抑えた運動健康器具を提供することを課題とする。
【課題を解決するための手段】
【０００５】
そこで、本考案者は従来の技術に見られる欠点に鑑みて鋭意研究を重ねた結果、ベースと、該ベースの上に設けられた駆動装置と、該駆動装置に連結した座部と、を含んでなり、該駆動装置は動力部と、揺動座と、動力部が駆動して作動する主動部と、該主動部が駆動すると、作動する受動部とを含んでなり、該ベースに連結した固定板は、長手方向に垂直な両側にそれぞれ底部側面ブロックと、該底部側面ブロックに対応して接続する上部側面ブロックが設けられ、該底部側面ブロックと上部側面ブロックは前後にそれぞれ主動部と受動部とを設けるために供し、該座部に連結する揺動座は長手方向に垂直な側辺の前後にそれぞれ上凹溝を形成し、揺動座の下方に設けられる固定板上には該上凹溝に対応する位置の下方にそれぞれ軸座が設けられ、それぞれの軸座上には上凹溝に対応する位置に下凹溝が形成され、揺動座を固定板上に設けると、揺動座の上凹溝との下凹溝が組み合わさるとともに、前後でそれぞれ主動部と受動部に接続し、該主動部は第一軸と、複数の偏心輪とを含んでなり、該第一軸は動力部に接続しているため、動力部が駆動すると作動し、第一軸は両端縁部に偏心輪が設けられ、偏心輪の外周が上、下凹溝に回動自在に設けられるとともに、偏心輪から突き出した第一軸の外側両端が底部側面ブロック、上部側面ブロックに回動自在に設けられ、主動部により偏心輪が第一軸を支点として上下、前後に円を描くように回転し、該受動部は第二軸を含んでなり、該第二軸は軸体と、該軸体に貫通して設けられた軸受けとを具えてなり、揺動座の上凹溝と軸座の下凹溝で挟持ように回動自在に設けられ、該軸体の両端に垂直な方向に屈折し、適宜な長さを具えたクランプが設けられ、該クランプの両端には軸方向に延伸した端縁部が設けられ、該端縁部が底部側面ブロックと、上部側面ブロックに挟持ように回動自在に設けられ、揺動座が主動部及び受動部に連結するため、乗馬をしているような感覚で体を鍛えることができる構造からなる運動健康器具によって課題を解決できる点に着眼し、かかる知見に基づいて本考案を完成させた。
【０００６】
以下、この考案について具体的に説明する。
請求項１に記載の運動健康器具は、ベースと、該ベースの上に設けられた駆動装置と、該駆動装置に連結した座部と、を含んでなり、
該駆動装置は動力部と、揺動座と、動力部が駆動して作動する主動部と、該主動部が駆動すると、作動する受動部とを含んでなり、
該ベースに連結した固定板は、長手方向に垂直な両側にそれぞれ底部側面ブロックと、該底部側面ブロックに対応して接続する上部側面ブロックが設けられ、該底部側面ブロックと上部側面ブロックは前後にそれぞれ主動部と受動部とを設けるために供し、
該座部に連結する揺動座は長手方向に垂直な側辺の前後にそれぞれ上凹溝を形成し、揺動座の下方に設けられる固定板上には該上凹溝に対応する位置の下方にそれぞれ軸座が設けられ、それぞれの軸座上には上凹溝に対応する位置に下凹溝が形成され、揺動座を固定板上に設けると、揺動座の上凹溝との下凹溝が組み合わさるとともに、前後でそれぞれ主動部と受動部に接続し、
該主動部は第一軸と、複数の偏心輪とを含んでなり、該第一軸は動力部に接続しているため、動力部が駆動すると作動し、第一軸は両端縁部に偏心輪が設けられ、偏心輪の外周が上、下凹溝に回動自在に設けられるとともに、偏心輪から突き出した第一軸の外側両端が底部側面ブロック、上部側面ブロックに回動自在に設けられ、主動部により偏心輪が第一軸を支点として上下、前後に円を描くように回転し、
該受動部は第二軸を含んでなり、該第二軸は軸体と、該軸体に貫通して設けられた軸受けとを具えてなり、揺動座の上凹溝と軸座の下凹溝で挟持ように回動自在に設けられ、該軸体の両端に垂直な方向に屈折し、適宜な長さを具えたクランプが設けられ、該クランプの両端には軸方向に延伸した端縁部が設けられ、該端縁部が底部側面ブロックと、上部側面ブロックに挟持ように回動自在に設けられ、揺動座が主動部及び受動部に連結するため、乗馬をしているような感覚で体を鍛えることができる構造からなる。
【０００７】
請求項２に記載の運動健康器具は、請求項１におけるベースが、上部に設けられた下蓋と、該下蓋に対応し、四辺に合わさりカバーするような中央に設置空間を形成した上蓋と、下蓋の中央内部に設けられた複数の支柱と、長手方向外側底部に設けられたバーと、該それぞれの支柱の上部に設けられ、中央に設置空間を形成した内底板と、該内底板の表面に固定して設けられた複数の可撓性を具えた中空の柱状の耐震器と、該内底板の表面に上蓋の中央の設置空間から一部が上方に露出するように設けられた駆動装置とを含んでなる。
【０００８】
請求項３に記載の運動健康器具は、請求項１における駆動装置が、上方が連結座に接続し、該連結座の上方が接続板に固定接続し、該接続板の表面には複数の柱体が固定して設けられ、それぞれの柱体は外周が螺刻され、上下に螺子を設けることができ、可撓性を具えてなり、柱体の一端を底部に螺接する。
【０００９】
請求項４に記載の運動健康器具は、請求項１における座部が、中央に設置空間を具えた下蓋と、座部フレームと、上蓋とを含んでなり、該下蓋は上方に座部フレームを設けて固定接続するために供するとともに、座部フレームの上方に上蓋を設けて螺接固定するために供し、これにより、座部フレームは上蓋の内側に被覆された状態で設けられ、フレームは表面と、底面にそれぞれリング状の上方リングフレームと、下方リングフレームとを固定して設けるため、軟質のフレームの表面及び底面が硬質の接続部材になり、下方リングフレームは上蓋の表面の設置空間の外周に接続固定するために供し、柱体の一端が下蓋の中央の設置空間を介して座部フレームの底面に螺接するとともに、フレームが上方に引き上げられ、上方リングフレームを座部フレームの底面に螺接固定する。
【００１０】
請求項５に記載の運動健康器具は、請求項１における動力部がモータと、該モータに接続し、回転速度を転換する変速器とを含んでなり、該変速器は第一軸に接続する。
【００１１】
請求項６に記載の運動健康器具は、請求項３における揺動座の上凹溝が一方が他方よりも高い位置に形成されているため、それぞれの上凹溝を接続する側面が傾斜して形成され、揺動座の表面には複数の螺子状の固定柱が設けられ、該固定柱の一端が連結座に接続する。
【００１２】
請求項７に記載の運動健康器具は、請求項３における第一軸が、中央に変速器を設けてなり、該変速器の両側にはそれぞれ軸受けが設けられ、第一軸が支持座に回動自在に貫通して設けられ、第一軸に設けられた偏心輪の外側両端には軸受けが設けられ、底部側面ブロック、上部側面ブロックに形成された凹溝に設けられ、受動部の第二軸は端縁部に軸受けを設けて、底部側面ブロック、上部側面ブロックに形成された凹溝に設けられる。
【００１３】
請求項８に記載の運動健康器具は、請求項１におけるベースが、振動モータを設けてなり、該振動モータは軸心が偏心輪に接続し、該偏心輪が座部に回動自在に設けられる。
【００１４】
請求項９に記載の運動健康器具は、請求項８における連結座が、中央に振動モータを設ける大きな収納空間を形成し、該振動モータの上端が接続板の貫通孔を貫通して設けられるとともに、接続板の底面に固定され、該振動モータの偏心輪が座部フレームの底部に形成された内溝に回動自在に設けられる。
【考案の効果】
【００１５】
この考案による運動健康器具は、構造が簡単なため、製造コストを抑えるとともに、軸受けを設けて揺動する場合に発生する騒音が少ないという効果を有する。
【考案を実施するための最良の形態】
【００１６】
この考案は、構造が簡単で、騒音を抑えた運動健康器具であって、ベースと、該ベースの上に設けられた駆動装置と、該駆動装置に連結した座部と、を含んでなり、
該駆動装置は動力部と、揺動座と、動力部が駆動して作動する主動部と、該主動部が駆動すると、作動する受動部とを含んでなり、
該ベースに連結した固定板は、長手方向に垂直な両側にそれぞれ底部側面ブロックと、該底部側面ブロックに対応して接続する上部側面ブロックが設けられ、該底部側面ブロックと上部側面ブロックは前後にそれぞれ主動部と受動部とを設けるために供し、
該座部に連結する揺動座は長手方向に垂直な側辺の前後にそれぞれ上凹溝を形成し、揺動座の下方に設けられる固定板上には該上凹溝に対応する位置の下方にそれぞれ軸座が設けられ、それぞれの軸座上には上凹溝に対応する位置に下凹溝が形成され、揺動座を固定板上に設けると、揺動座の上凹溝との下凹溝が組み合わさるとともに、前後でそれぞれ主動部と受動部に接続し、
該主動部は第一軸と、複数の偏心輪とを含んでなり、該第一軸は動力部に接続しているため、動力部が駆動すると作動し、第一軸は両端縁部に偏心輪が設けられ、偏心輪の外周が上、下凹溝に回動自在に設けられるとともに、偏心輪から突き出した第一軸の外側両端が底部側面ブロック、上部側面ブロックに回動自在に設けられ、主動部により偏心輪が第一軸を支点として上下、前後に円を描くように回転し、
該受動部は第二軸を含んでなり、該第二軸は軸体と、該軸体に貫通して設けられた軸受けとを具えてなり、揺動座の上凹溝と軸座の下凹溝で挟持ように回動自在に設けられ、該軸体の両端に垂直な方向に屈折し、適宜な長さを具えたクランプが設けられ、該クランプの両端には軸方向に延伸した端縁部が設けられ、該端縁部が底部側面ブロックと、上部側面ブロックに挟持ように回動自在に設けられ、揺動座が主動部及び受動部に連結するため、乗馬をしているような感覚で体を鍛えることができる構造と特徴を詳述するために具体的な実施例を挙げ、図示を参照にして以下に説明する。
【実施例】
【００１７】
図１は、この考案の運動健康器具を示した斜視図である。図２は、この考案の運動健康器具を示した分解図である。図面によれば、この考案はベース１０と、該ベース１０上に設けられた駆動装置２０と、一側面が該ベース１０に接続したフレーム５３と、該フレーム５３のもう一方の側面に接続した座部６０と、該ベース１０の底部両側にそれぞれ設けられた足をかけるバー１１１とを含んでなる。運動を行う場合には、座部６０に座り、バー１１１に両足を乗せて駆動装置２０により座部６０が前後、上下に揺動するため、乗馬をしているような感覚で運動することができる。
【００１８】
図２、図３に開示するように、ベース１０は上部に設けられた下蓋１１と、該下蓋１１に対応し、四辺に合わさりカバーするような中央に設置空間を形成した上蓋１５と、下蓋１１の中央内部に設けられた複数の支柱１１２と、長手方向外側底部に設けられたバー１１１と、該それぞれの支柱１１２の上部に設けられた中央に設置空間を形成された内底板１２と、該内底板１２の表面に固定して設けられた複数の可撓性を具えた中空の柱状の耐震器１３と、該内底板１２の表面に上蓋１５の中央の設置空間から一部が上方に露出するように設けられた駆動装置２０を含んでなる。該耐震器１３は駆動装置２０の作動により発生する振動を吸収する。
【００１９】
該駆動装置２０は、上方が連結座５０に接続し、該連結座５０の上方が接続板５１に固定接続する。該接続板５１の表面には複数の柱体５２が固定して設けられ、それぞれの柱体５２は外周が螺刻され、上下に螺子を設けることができ、可撓性を具えてなるため、該柱体５２の一端を座部６０に螺接することにより、柱体５２が振動を給する。
【００２０】
図２、図５に開示するように、座部６０は、中央に設置空間を具えた下蓋６１と、座部フレーム６２と、上蓋６３とを含んでなる。該下蓋６１は上方に座部フレーム６２を設けて固定接続するために供するとともに、該座部フレーム６２の上方に上蓋６３を設けて螺接固定するために供する。よって、座部フレーム６２は上蓋６３の内側に被覆された状態で設けられる。該フレーム５３は表面と底面にそれぞれリング状の上方リングフレーム５３２と、下方リングフレーム５３１とを固定して設けるため、軟質のフレーム５３の表面及び底面を硬質の接続部材にすることができる。
【００２１】
下方リングフレーム５３１は上蓋１５の表面の設置空間の外周に接続固定するために供し、柱体５２の一端が下蓋６１の中央の設置空間を介して座部フレーム６２の底面に螺接するとともに、フレーム５３が上方に引き上げられ、上方リングフレーム５３２を座部フレーム６２の底面に螺接固定させて、駆動装置２０と、連結座５０など上蓋６０の内部に設けられた部材が遮断され、図１に開示するような美しい外観を形成する。
【００２２】
この考案では駆動装置２０は図４から図６に開示するように、動力部２１と、揺動座２４と、動力部２１が駆動すると作動する主動部３０と、該主動部３０が駆動すると運動する受動部４０とを含んでなる。
【００２３】
該動力部２１はモータ２１１と、該モータ２１１の動力に接続し、回転速度を転換する変速器２１２とを含んでなり、該変速器が第一軸に接続する。
【００２４】
該駆動装置２０の底部に設けられる固定板１４は、長手方向に垂直な両側にそれぞれ、底部側面ブロック２２と、上部側面ブロック２３とを固定して設けてなる。該底部、上部側面ブロック２２、２３はそれぞれ長方形のブロック状を呈するとともに、それぞれの底部側面ブロック２２は前後にそれぞれ凹溝２２１が凹設され、上部側面ブロック２３にも底部側面ブロック２２の凹溝２２１に対応する位置に凹溝２３１が凹設される。よって、底部、上部側面ブロック２２、２３にそれぞれ設けられた凹溝２２１、２３１を対応するように組み合わせると、円形の孔を形成し、それぞれの凹溝２２１、２３１を利用して底部、上部側面ブロック２２、２３の前後にそれぞれ主動部３０と受動部４０とを設けることができる。
【００２５】
該揺動座２４は、長手方向に垂直な底部側辺の前後にそれぞれ形成された上凹溝２４１、２４２と、表面に設けられた複数の螺子状の固定柱２５とを含んでなる。該上凹溝２４１、２４２は、一方の上凹溝２４１が他方の上凹溝２４２よりも少し高い位置に形成されているため、上凹溝２４１と上凹溝２４２を接続する側面が傾斜して形成される。該上凹溝２４１、２４２に対向する固定板１４上には上凹溝２４１、２４２に対応する位置にそれぞれ下凹溝２６１、２７１が形成された軸座２６、２７が形成され、固定板１４の上方に揺動座２４が設けられると、軸座２６、２７の下凹溝２６１、２７１と揺動座２４の上凹溝２４１、２４２が組み合わさるとともに、揺動座２４が主動部３０と受動部４０に接続して揺動する。また、該揺動座２４の表面に設けられた固定柱２５は上端が連結座５０に接続する。
【００２６】
主動部３０は、第一軸３１、複数の偏心輪３３とを含んでなる。該第一軸３１は中央に設けられた動力部２１の変速器２１２と、該変速器２１２の両外側に設けられた支持座３２と、該支持座３２の両外側に設けられた偏心輪３３と、該偏心輪３３の両外側に設けられた軸受け３４とを含んでなる。よって、第一軸３１は、動力部２１が駆動すると、円を描いて回転する。該変速器２１２の両側にはそれぞれ軸受けが設けられているため、第一軸３１は支持座３２に回動自在に設けられる。該支持座３２は第一軸３１を支持して補助するために供する。また、該支持座３２は両外側にそれぞれ偏心輪３３を設け、該偏心輪３３の外周面が軸受け３４に接続するため、偏心輪３３が滑らかに回転し、接触による摩擦力が抑えられ、騒音が少なくなる。
【００２７】
第一軸３１が穿設する偏心輪３３の外側両端に軸受けを設けて、底部側面ブロック２２、上部側面ブロック２３に対応して形成された凹溝２２１、２３１、螺設、固定された底部、上部側面ブロック２２、２３、及び軸座２６に螺設して固定された揺動座２４との間に設けられ回転する。該偏心輪３３は軸受け３４を利用して軸座２６の下凹溝２６１と揺動座２４の上凹溝２４１との間に設けられ、主動部３０が揺動座２４に連結されるとともに、主動部３０が偏心輪３３の偏りによって、第一軸３１を支点として上下、または前後に回転運動を行う。
【００２８】
該受動部４０は、第二軸４１を含んでなる。該第二軸４１は、軸体４１１を具えてなり、該軸体４１１の両端には垂直な方向に屈折し、適宜な長さを具えたクランプ４１２が設けられ、該クランプ４１２の両端には軸方向に延伸した端縁部４１３が設けられる。よって、端縁部４１３の断面は軸体４１１の断面との間に適宜な距離が形成されるとともに、クランプ４１２の断面との間にも距離が形成される。
【００２９】
第二軸４１にクランプ４１２が接続されていない状態か、或いはクランプ４１２を軸体４１１に接続する前に、軸体４１１の軸座２７の両端に対応する位置に軸受け４２を設けて、軸体４１１が滑らかに揺動して、接触による摩擦力を抑えて騒音を抑えるようにすることができる。また、端縁部４１３にも軸受けを設ける。揺動座２４の上凹溝２４２と軸座２７の下凹溝２７１が第二軸４１の軸体４１１の軸受け４２を上下から挟持するように設けると、軸体４１１が揺動座２４に活動自在に設けられる。
【００３０】
底部側面ブロック２２、上部側面ブロック２３に設けられた凹溝２２１、２３１も端縁部４１３の軸受けを挟持するとともに、底部側面ブロック２２、上部側面ブロック２３が螺設固定されて第二軸４１が端縁部４１３の断面が第二軸４１の揺動する支点を形成する。軸座２６、２７が揺動座２４に連結し、固定された状態の固定板１４、ベース１０の干渉を受けることなく、揺動座２４が主動部３０と受動部４０に連結する。
【００３１】
この考案の実施例では、図５、６、７に開示するように、駆動装置２０が作動すると、主動部３０の第一軸３１が回転し、第一軸３１を支点として偏心輪３３の偏心作用によって、上下、前後に円を描くように運動する。主動部３０の偏心運動は、揺動座２４が受動部４０を引き動かして受動部４０が端縁部４１３を支点として、軸体４１１及び軸受け４２、クランプ４１２が前後に往復揺動する。よって、揺動座２４は上下、前後の揺動を行うとともに、連結座５０、接続板５１を介して座部フレーム６２に伝達し、座部６０に座る人が乗馬をしているような感覚で体を鍛えることができる。
【００３２】
耐震器１３及び柱体５２は撓んで変形し、２重に振動を吸収し、駆動装置２０からベース１０、座部６０に伝達された振動を減らして、使用者が快適に使用できるようにする。
【００３３】
また、図８、図９に開示するように、この考案の運動健康器具は、振動を利用して血液の循環を促進する効果も具えている。即ち、連結座５０の中央に形成された大きな収納空間５０１に、振動モータ７０の底部を設け、振動モータ７０の一端を接続板５１の連結座５０に対向する底面に固定して設ける。また、出力する軸心７１は接続板５１に形成された貫通孔を通過し、外側に軸受けが設けられた偏心輪７２に連結して固定される。該偏心輪７２は軸受けを利用して座部フレーム６２の底部に形成された内溝６２１に緊密に固定して設けられる。よって、振動モータ７０が作動されると、偏心輪７２が動かされて偏心した状態で円を描くように回転し、図１の座部６０が使用者の血液循環を促進するような振動を発生する。
【００３４】
上述のように、この考案の運動健康器具を使用する場合、揺動座２４を揺動させると同時に、振動モータ７０を作動して振動を発生させるようにすることができるとともに、揺動座２４を停止して、振動モータ７０のみを作動させて振動を体に与えて血液の循環を促進するようにもすることができる。
【００３５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３６】
【図１】この考案の運動健康器具を示した斜視図である。
【図２】この考案の運動健康器具を示した分解図である。
【図３】この考案の運動健康器具のベースと駆動装置を示した分解図である。
【図４】この考案の運動健康器具の駆動装置を示した分解図である。
【図５】この考案の運動健康器具を示した断面図である。
【図６】この考案の運動健康器具の駆動装置を示した断面図である。
【図７】この考案の運動健康器具の駆動装置を示した説明図である。
【図８】この考案の運動健康器具を示したもう一つの実施例である。
【図９】図８に示した運動健康器具を示した断面図である。
【符号の説明】
【００３７】
１０ ベース
１１ 下蓋
１１１ バー
１１２ 支柱
１２ 内底板
１３ 耐震器
１４ 固定板
１５ 上蓋
２０ 駆動装置
２１ 動力部
２１１ モータ
２１２ 変速器
２２ 底部側面ブロック
２２１、２３１ 凹溝
２３ 上部側面ブロック
２４ 揺動座
２４１、２４２ 上凹溝
２５ 固定柱
２６、２７ 軸座
２６１、２７１ 下凹溝
３０ 主動部
３１ 第一軸
３２ 支持座
３３ 偏心輪
３４ 軸受け
４０ 受動部
４１ 第二軸
４１１ 軸体
４１２ クランプ
４１３ 端縁部
４２ 軸受け
５０ 連結座
５０１ 収納空間
５１ 接続板
５２ 柱体
５３ フレーム
５３１ 下方リングフレーム
５３２ 上方リングフレーム
６０ 座部
６１ 下蓋
６２ 座部フレーム
６２１ 内溝
６３ 上蓋
７０ 振動モータ
７２ 偏心輪
７１ 軸心
【図１】
0003130158.tif 000003
【図２】
0003130158.tif 000004
【図３】
0003130158.tif 000005
【図４】
0003130158.tif 000006
【図５】
0003130158.tif 000007
【図６】
0003130158.tif 000008
【図７】
0003130158.tif 000009
【図８】
0003130158.tif 000010
【図９】
0003130158.tif 000011